(57)【要約】【課題】シーリング材を使用せずに水の浸入が阻止できる押出成形セメント板目地のシール構造及びそれに用いる押出成形セメント板用キャッチパンを得る。【解決手段】押出成形セメント板目地のシール構造において、上下の押出成形セメント板１ａ、１ｂの間に挟入される横目地ガスケット７５と、クッション材からなり横目地・縦目地の交差部５５で横目地５１を上下に横断して縦目地５３に挟入されるキャッチパン１００と、押出成形セメント板の背面６３における縦目地５３に挟入されキャッチパン１００の上下面に当接される縦目地ガスケット６５と、押出成形セメント板の表面９９における縦目地５３に挟入され上端がキャッチパン１００の傾斜部下面に当接され下端が横目地５１の直上で終端となる縦目地防雨リップ１０１と、上側の押出成形セメント板１ａに固定され押出成形セメント板１の横目地５１に挟入される横目地防雨リップ１０３とを設けた。【選択図】図１
2005299346.tif 000002
【特許請求の範囲】
【請求項１】
左右に貫通する中空部を有した押出成形セメント板が横目地・縦目地を介して上下左右に建物躯体に張り付けられる押出成形セメント板の張り付け構造において、前記横目地・縦目地を通る屋外側から屋内側への水の浸入を阻止する押出成形セメント板目地のシール構造であって、
上下の押出成形セメント板の間に挟入される横目地ガスケットと、
クッション材からなり横目地・縦目地の交差部で横目地を上下に横断して縦目地に挟入され、正面に、上下方向略中央部が奥側へ凹む湾曲面を有し該湾曲面の下端に手前へ下る傾斜部が連設されるとともに、該傾斜部の下端が横目地直下の左右の押出成形セメント板に挟持されるキャッチパンと、
前記押出成形セメント板の背面における縦目地に挟入され該キャッチパンの上面と下面に当接される縦目地ガスケットと、
前記押出成形セメント板の表面における縦目地に挟入され上端が前記キャッチパンの傾斜部下面に当接されるとともに下端が横目地の直上で終端となる縦目地防雨リップと、
上側の前記押出成形セメント板の下端面に固定され前記押出成形セメント板の表面における横目地に挟入される横目地防雨リップと
を具備したことを特徴とする押出成形セメント板目地のシール構造。
【請求項２】
前記キャッチパンの上下面に嵌入突起が突設され、
該嵌入突起が、前記上下面に当接される前記縦目地ガスケットの端面穴に嵌入されたことを特徴とする請求項１記載の押出成形セメント板目地のシール構造。
【請求項３】
左右に貫通する中空部を有した押出成形セメント板が横目地・縦目地を介して上下左右に建物躯体に張り付けられる押出成形セメント板の張り付け構造において、前記縦目地を通る屋外側から屋内側への水の浸入を阻止する押出成形セメント板用キャッチパンであって、
クッション材からなり横目地・縦目地の交差部で横目地を上下に横断して縦目地に挟入され、正面に、上下方向略中央部が奥側へ凹む湾曲面を有し該湾曲面の下端に手前へ下る傾斜部が連設されるとともに、該傾斜部の下端が横目地直下の左右の押出成形セメント板に挟持され、かつ上下面が、前記押出成形セメント板の背面における縦目地に挟入された縦目地ガスケットに当接されることを特徴とする押出成形セメント板用キャッチパン。
【請求項４】
前記上下面に、前記縦目地ガスケットの端面穴に嵌入される嵌入突起が突設されたことを特徴とする請求項３記載の押出成形セメント板用キャッチパン。
【発明の詳細な説明】
【技術分野】
【０００１】
本発明は、両端面に開口する複数の中空部が並設された押出成形セメント板を、中空部が左右に延在する向きで建物躯体に取付けた押出成形セメント板目地のシール構造及びそれに用いる押出成形セメント板用キャッチパンに関し、特に、屋内側からのシーリング材充填作業を不要にし、かつ無足場での張り付け作業を可能にした改良技術に関する。
【背景技術】
【０００２】
押出成形セメント板を外壁として建物躯体に取り付ける場合、上下に隣接する押出成形セメント板同士の間には横目地が形成され、左右に隣接する押出成形セメント板同士の間には縦目地が形成される。このように形成された横目地及び縦目地は、シーリング材によってシールすることで、これらの目地部から建物躯体の屋内側への雨水の浸入が阻止されている。
【０００３】
例えば下記特許文献１に開示される建築躯体における水切装置では、図６に示すように、上下に配された押出成形セメント板１の下端の屋内側と屋外側の両方に内外の水切材８、１１を設けた例で、内水切材８はアングル材３の上側に重合配置され、一方、外水切材１１の傾斜縁２５の屋内側部分が押出成形セメント板１の中空部２に臨むように配置されている。
【０００４】
外水切材１１は上下部の押出成形セメント板１、１の屋外側下端と上端との間にホルダ１６、コーキング材５を介して配置され、外水切材１１の屋内側の端部は内水切材８の屋外側端部の下方に重なり状に配置されている。すなわち、外水切材１１は下部の押出成形セメント板１の屋外側面に重合固定されたホルダ１６に係着されている。ホルダ１６は略Ｚ字形の短尺部材で、上部の端部には係合溝２６が形成され、垂直部２７は押出成形セメント板１にネジ固定され、下部の先端には係合部２９が形成されている。外水切材１１は略Ｌ字形に形成され、上端縁の屈曲部の先端２８は係合部と水返しとを成すように断面Ｔ字形に形成され、ホルダ１６の上部の係合溝２６に係合し、下端縁の屈曲部の先端係合部２９はホルダ１６の下部の外向き先端の係止部３０に係止している。
【０００５】
上記構成によれば、外水切材１１の屋内側の端部は内水切材８の屋外側端部の下方に重なり状に配置されているので、内水切材８によって屋外側に誘導された雨水は、外水切材１１の傾斜縁２５上面に沿って流れ落ち、コーキング材５に形成された排水孔１３から屋外側に排出されるから、排水効率がよい。また、雨水の一部は外水切材１１の裏側に回り込み、さらに下部の押出成形セメント板１の中空部２に導かれて下方で屋外側に排出される。したがって、雨水が屋内側に進入することは有効に阻止される。
【０００６】
【特許文献１】特開平１１−３２４１４０号公報
【特許文献２】特開平８−１９９７１６号公報
【発明の開示】
【発明が解決しようとする課題】
【０００７】
しかしながら、上記特許文献１に開示される押出成形セメント板目地のシール構造は、押出成形セメント板の目地間をシーリング材にて屋外側からシールしなければならない欠点があった。このため、シーリング施工費用が発生するのは元より、シーリング作業を行うための足場設置費用も発生することになり、施工コストが増大した。また、シーリング施工を必要とするシール構造では、特に隣地建物からの距離が短い場合には、足場が組めず、シーリング施工が行えないことから、結局、押出成形セメント板の張り付け施工事態が困難となることもあった。さらに、このようなシール構造では、シーリング材の経年劣化等により雨水が建物躯体の屋外側へ浸入した場合、雨水が漏水する恐れがあり、外壁メンテナンスに要する費用も増大した。
これに対し、目地部に二次的に防水性を付与することも行われているが、このような二次シール工法では、パネル目地間のガスケット等により、雨水が躯体側へ浸入するのを防いでいるため、多量のガスケット等が必要であり、施工コストが増大した。
また、ＰＣ板やカーテンウォール等では、シーリング材を使用しない等圧工法も採用されている。例えば上記特許文献２に開示されるユニットカーテンウォールの排水構造は、図７〜図８に示すように、ユニット３１間の等圧空間に入った雨水を上枠３３に載置された図８に示すキャッチパン３５で受け、上枠３３の水抜き穴３７を通して縦枠のホロー部３９に落とし、該ホロー部３９に流れ落ちた水を縦枠下端の図９に示す水受け部材４１で受け、その下のジョイント塞ぎ材４３を介して外部に排出する。
ところが、押出成形セメント板は、薄手で高強度なため、６０ｍｍ厚の標準パネルで壁体としての性能を十分に有するが、厚みが６０ｍｍでは目地部に等圧工法を用いることはできない。すなわち、上記構造のキャッチパン３５は、厚みの大きいＰＣ板等には適するが、薄手の押出成形セメント板に適用した場合には良好な排水経路が形成できず、オーバーフローが発生し、室内側へ漏水する虞があった。他方、等圧工法を行うために押出成形セメント板を１００ｍｍ以上の厚みとすれば、軽量・高強度で施工性が良い押出成形セメント板の長所を生かすことができなくなった。
本発明は上記状況に鑑みてなされたもので、シーリング材を使用せずに水の浸入が阻止できる押出成形セメント板目地のシール構造及びそれに用いる押出成形セメント板用キャッチパンを提供し、もって、無足場工法を可能にして施工コストの低減を図るとともに、隣地との間隔が狭い場合であっても押出成形セメント板の張り付け施工を可能とすることを目的とする。
【課題を解決するための手段】
【０００８】
上記目的を達成するための本発明に係る請求項１記載の押出成形セメント板目地のシール構造は、左右に貫通する中空部を有した押出成形セメント板が横目地・縦目地を介して上下左右に建物躯体に張り付けられる押出成形セメント板の張り付け構造において、前記横目地・縦目地を通る屋外側から屋内側への水の浸入を阻止する押出成形セメント板目地のシール構造であって、上下の押出成形セメント板の間に挟入される横目地ガスケットと、クッション材からなり横目地・縦目地の交差部で横目地を上下に横断して縦目地に挟入され、正面に、上下方向略中央部が奥側へ凹む湾曲面を有し該湾曲面の下端に手前へ下る傾斜部が連設されるとともに、該傾斜部の下端が横目地直下の左右の押出成形セメント板に挟持されるキャッチパンと、前記押出成形セメント板の背面における縦目地に挟入され該キャッチパンの上面と下面に当接される縦目地ガスケットと、前記押出成形セメント板の表面における縦目地に挟入され上端が前記キャッチパンの傾斜部下面に当接されるとともに下端が横目地の直上で終端となる縦目地防雨リップと、  上側の前記押出成形セメント板の下端面に固定され前記押出成形セメント板の表面における横目地に挟入される横目地防雨リップとを具備したことを特徴とする。
【０００９】
この押出成形セメント板目地のシール構造では、表面における横目地・縦目地が横目地防雨リップ、縦目地防雨リップに覆われ、背面における横目地・縦目地が横目地ガスケット、縦目地ガスケット及びキャッチパンによってシールされる。そして、キャッチパンの前方に形成される交差部内の等圧空間が、交差部の表面において排水口となって外部へ開口される。したがって、横目地防雨リップや縦目地防雨リップから目地内へ浸入した雨水は、横目地ガスケット、縦目地ガスケット及びキャッチパンによって屋内側への浸入が阻止され、かつキャッチパンの傾斜部によって交差部から外部へ排水されることとなる。また、交差部における排水口の奥側にキャッチパンの湾曲面が位置し、この湾曲面が、風圧によって排水口から吹き込む雨水の障壁となって吹き込み圧力を減圧させ、水返しの役割を果たす。
【００１０】
請求項２記載の押出成形セメント板目地のシール構造は、前記キャッチパンの上下面に嵌入突起が突設され、該嵌入突起が、前記上下面に当接される前記縦目地ガスケットの端面穴に嵌入されたことを特徴とする。
【００１１】
この押出成形セメント板目地のシール構造では、キャッチパンの嵌入突起に縦目地ガスケットの端面穴が嵌入され、キャッチパンと縦目地ガスケットとが連続状態に位置決めされ、位置ずれによる間隙が発生せず、高いシール性が確保される。
【００１２】
請求項３記載の押出成形セメント板用キャッチパンは、左右に貫通する中空部を有した押出成形セメント板が横目地・縦目地を介して上下左右に建物躯体に張り付けられる押出成形セメント板の張り付け構造において、前記縦目地を通る屋外側から屋内側への水の浸入を阻止する押出成形セメント板用キャッチパンであって、クッション材からなり横目地・縦目地の交差部で横目地を上下に横断して縦目地に挟入され、正面に、上下方向略中央部が奥側へ凹む湾曲面を有し該湾曲面の下端に手前へ下る傾斜部が連設されるとともに、該傾斜部の下端が横目地直下の左右の押出成形セメント板に挟持され、かつ上下面が、前記押出成形セメント板の背面における縦目地に挟入された縦目地ガスケットに当接されることを特徴とする。
【００１３】
この押出成形セメント板用キャッチパンでは、横目地・縦目地の交差部で横目地を上下に横断して縦目地に挟入され、傾斜部の下端が横目地直下の左右の押出成形セメント板に挟持される。また、上下面には、押出成形セメント板の背面における縦目地ガスケットが当接される。これにより、縦目地を介する屋外側から屋内側への雨水の浸入が阻止される。また、傾斜部によって排水路が形成され、この排水路が交差部の表面で排水口となって開口され、浸入雨水の排出が可能となるとともに、排水口から吹き込む雨水に対しては、湾曲面が水返しとして作用するようになる。
【００１４】
請求項４記載の押出成形セメント板用キャッチパンは、前記上下面に、前記縦目地ガスケットの端面穴に嵌入される嵌入突起が突設されたことを特徴とする。
【００１５】
この押出成形セメント板用キャッチパンでは、キャッチパンの嵌入突起に縦目地ガスケットの端面穴が嵌入され、キャッチパンと縦目地ガスケットとが所定の相対位置に位置決めされ、位置ずれによる間隙が発生せず、常に確実な連続が可能となる。
【発明の効果】
【００１６】
本発明に係る押出成形セメント板目地のシール構造によれば、上下の押出成形セメント板の間に横目地ガスケットが挟入され、横目地・縦目地の表面に横目地防雨リップ・縦目地防雨リップが挟入され、横目地・縦目地の交差部で横目地を上下に横断するキャッチパンが縦目地に挟入され、キャッチパンの上面と下面に当接される縦目地ガスケットが押出成形セメント板の背面における縦目地に挟入されたので、表面における横目地・縦目地が横目地防雨リップ、縦目地防雨リップに覆われ、背面における横目地・縦目地が横目地ガスケット、縦目地ガスケット及びキャッチパンによってシールされる。そして、キャッチパンの前方に形成される交差部内の等圧空間が、交差部の表面において排水口となって外部へ開口される。したがって、横目地防雨リップや縦目地防雨リップから目地内へ浸入した雨水は、横目地ガスケット、縦目地ガスケット及びキャッチパンによって屋内側への浸入が阻止され、かつキャッチパンの傾斜部によって交差部から外部へ排水されることとなる。また、交差部における排水口の奥側にキャッチパンの湾曲面が位置するので、この湾曲面が、風圧によって排水口から吹き込む雨水の障壁となって吹き込み圧力を減圧させ、水返しの役割を果たして屋内側への雨水の浸入を効果的に阻止することができる。これにより、シーリング材を充填することなく、水の浸入を阻止することができ、施工コストを削減することができるとともに、シーリング材の経年劣化を補修する必要がなくなるので、外壁メンテナンスに要する費用も低減することができる。また、押出成形セメント板を無足場で張り付け施工することができるので、隣地との間隔が狭い場合であっても押出成形セメント板の張り付け施工を可能とすることができる。
【００１７】
本発明に係る押出成形セメント板用キャッチパンによれば、クッション材を素材とし、正面に、上下方向略中央部が奥側へ凹む湾曲面を形成し、この湾曲面の下端に手前へ下る傾斜部を連設したので、横目地・縦目地の交差部で横目地を上下に横断して縦目地に挟入し、傾斜部の下端を横目地直下の左右の押出成形セメント板に挟持させ、上下面に、押出成形セメント板の背面における縦目地に挟入された縦目地ガスケットを当接させることで、縦目地に挟入される上下の縦目地ガスケットを連結して、縦目地を介して屋外側から屋内側へ浸入しようとする雨水を阻止できる。また、傾斜部によって排水路を形成することができ、この排水口から吹き込む雨水に対しては湾曲面を水返しとして働かせることができる。この結果、シーリング材を充填することなく、水の浸入を阻止することができ、薄手の押出成形セメント板においても、簡単な構造で、雨水を排出する等圧工法を可能にできる。
【発明を実施するための最良の形態】
【００１８】
以下、本発明に係る押出成形セメント板目地のシール構造及びそれに用いる押出成形セメント板用キャッチパンの好適な実施の形態を図面を参照して説明する。
図１は本発明に係るシール構造の斜視図、図２は図１に示したシール構造の押出成形セメント板中央部を（ａ）、端部を（ｂ）に表した縦断面図、図３はキャッチパン挟入部及び最下部におけるシール構造の縦断面図、図４はキャッチパン挟入部の背面図、図５は図１に示したシール構造の横断面図である。
【００１９】
本実施の形態による押出成形セメント板用キャッチパン（以下、単に「キャッチパン」と称す。）１００は、横張りの押出成形セメント板１に好適に用いられる。横張り工法では、両端面に開口する複数の中空部２が並設された押出成形セメント板１を、中空部２が左右に延在する向きで建物躯体に取付ける。上下で隣接する押出成形セメント板１ａ、１ｂの間には横目地５１が形成され、左右で隣接する押出成形セメント板１ｂ、１ｃには縦目地５３が形成される。このうち、キャッチパン１００は、横目地５１と縦目地５３の交差部５５に、横目地５１を上下に横断するようにして、縦目地５３内に配置される。
【００２０】
キャッチパン１００は、例えばネオプレン、ＥＰスポンジ、シリコーンゴムスポンジ等のクッション材からなる。キャッチパン１００の正面には上下方向略中央部が奥側へ凹む湾曲面５７が形成され、湾曲面５７の上部は前方に突出した水返し突起５９となる。湾曲面５７の下端には手前へ下る傾斜部６１が連設され、傾斜部６１は下端が横目地５１直下の左右の押出成形セメント板１ｂ、１ｃに挟持される。
【００２１】
また、キャッチパン１００は、上下面が、押出成形セメント板１の背面６３における縦目地５３に挟入された縦目地ガスケット６５に当接される。キャッチパン１００の上下面には嵌入突起６７が突設され、嵌入突起６７は縦目地ガスケット６５の端面穴６５ａに嵌入される。したがって、キャッチパン１００と縦目地ガスケット６５とは、嵌入突起６７が端面穴６５ａに嵌入されることで、所定の相対位置に位置決めされ、位置ずれによる間隙が発生せず、常に確実な連結が可能となっている。
【００２２】
キャッチパン１００は、交差部５５で挟入され、傾斜部６１の下端が横目地直下の左右の押出成形セメント板１ｂ、１ｃに挟持され、上下面に縦目地ガスケット６５が当接されることにより、縦目地５３を介する屋外側６９から屋内側７１への雨水の浸入が阻止される。また、傾斜部６１によって排水路が形成され、この排水路が交差部５５の表面で排水口７３（図３参照）となって開口され、浸入雨水の排出が可能となる。さらに。排水口７３から吹き込む雨水に対しては、湾曲面５７が水返しとして作用するようになる。
【００２３】
したがって、このキャッチパン１００によれば、縦目地５３に挟入される上下の縦目地ガスケット６５を連結して、縦目地５３を介して屋外側６９から屋内側７１へ浸入しようとする雨水を阻止することができる。また、傾斜部６１によって排水路を形成することができ、排水口７３から吹き込む雨水に対しては湾曲面５７を水返しとして働かせることができる。この結果、シーリング材を充填することなく、水の浸入を阻止することができ、薄手の押出成形セメント板１においても、簡単な構造で、雨水を排出する等圧工法を可能にできる。
【００２４】
次に、上記のキャッチパン１００を用いた押出成形セメント板目地のシール構造を説明する。
キャッチパン１００を用いたシール構造では、上下の押出成形セメント板１ａ、１ｂの間に図１、図２（ａ）に示す横目地ガスケット７５が挟入される。横目地ガスケット７５の両端には塞ぎゴム７７が接続され、塞ぎゴム７７は図２（ｂ）に示すように上下の押出成形セメント板１ａ、１ｂの左右側面の連結部を塞ぐ。
【００２５】
キャッチパン１００は、上記したように、横目地５１・縦目地５３の交差部５５で横目地５１を上下に横断して縦目地５３に挟入され、傾斜部６１の下端が横目地直下の左右の押出成形セメント板１ｂ、１ｃに挟持されるようにして配設される。
【００２６】
押出成形セメント板１ａ、１ｂの背面６３における縦目地５３には図４に示すように縦目地ガスケット６５が挟入され、縦目地ガスケット６５はキャッチパンの上面と下面に当接される。
【００２７】
最下部の押出成形セメント板１ｄは、水切材７９を用いたシール構造によってシールされる。このシール構造では、基礎フレーム８３上に硬質パッキン８５を介して山形鋼材８７が敷設され、山形鋼材８７の水平支持片８７ａ上に硬質パッキン８９を介して押出成形セメント板１ｄの下端が支持される。水切材７９は、水平支持片８７ａの上面に載置され屋外側６９と屋内側７１に延在する水平部７９ａと、この水平部７９ａの屋内端で起立して山形鋼材８７の垂直片８７ｂに当接する垂直部７９ｂと、水平部７９ａの屋外側６９で垂下する垂下部７９ｃとからなる。
【００２８】
垂下部７９ｃと基礎フレーム８３との間は、シーリング材９１によってシールされる。押出成形セメント板１ｄの背面６３と山形鋼材８７の垂直支持片８７ｂとの間には横ガスケット９３が挟入され、横ガスケット９３と縦目地ガスケット６５との交差部はシーリング材９５によってシールされる。
【００２９】
縦目地５３の内部には耐火目地材であるライザーボート９７が図５に示すようにして挟入され、ライザーボート９７は中空部２を塞ぐように取り付けられる。また、ライザーボート９７は、下端が下方のキャッチパン１００の上面に当接され、上端が上方のキャッチパン１００の下面に当接される。
【００３０】
押出成形セメント板１の表面９９における縦目地５３には縦目地防雨リップ１０１が挟入される。縦目地防雨リップ１０１は図１に示すように縦目地５３に沿って延在し、長手方向に直交する断面形状がＬ字形状に形成される。縦目地防雨リップ１０１は左右の押出成形セメント板１のいずれか一方に固定され、図３に示すように、上端がキャッチパン１００の傾斜部６１下面に当接されるとともに、下端が横目地５１の直上で終端１０１ａとなる。
【００３１】
また、上側の押出成形セメント板１ａと下側の押出成形セメント板１ｂとの間の横目地５１には横目地防雨リップ１０３が挟入される。横目地防雨リップ１０３は図１に示すように横目地５１に沿って延在し、長手方向に直交する断面形状がＬ字形状に形成され、上側の押出成形セメント板１ａの下端面に固定される。
【００３２】
また、本シール構造では、中空部２内へ浸入した水が、留付部のボルト穴１０５から屋内側７１へ浸入するのを防ぐため、中空部２内のナット１０７には、ゴムパッキン１０９が貼り付けられ、ナット１０７が中空部２に密着することで水の浸入を防いでいる。
【００３３】
このシール構造では、表面９９における横目地５１・縦目地５３が横目地防雨リップ１０３、縦目地防雨リップ１０１に覆われ、背面６３における横目地５１・縦目地５３が横目地ガスケット７５、縦目地ガスケット６５及びキャッチパン１００によってシールされる。そして、キャッチパン１００の前方に形成される交差部内の等圧空間１１１（図３参照）が、交差部５５の表面において排水口７３となって外部へ開口される。したがって、横目地防雨リップ１０３や縦目地防雨リップ１０１から目地内へ浸入した雨水は、横目地ガスケット７５、縦目地ガスケット６５及びキャッチパン１００によって屋内側への浸入が阻止され、かつキャッチパン１００の傾斜部６１によって交差部５５から外部へ排水されることとなる。また、交差部５５における排水口７３の奥側にキャッチパン１００の湾曲面５７が位置し、この湾曲面５７が、風圧によって排水口７３から吹き込む雨水の障壁となって吹き込み圧力を減圧させ、水返しの役割を果たす。
【００３４】
したがって、このシール構造によれば、シーリング材を充填することなく、水の浸入を阻止することができ、施工コストを削減することができるとともに、シーリング材の経年劣化を補修する必要がなくなるので、外壁メンテナンスに要する費用も低減することができる。また、押出成形セメント板１を無足場で張り付け施工することができるので、隣地との間隔が狭い場合であっても押出成形セメント板１の張り付け施工を可能とすることができる。
【００３５】
なお、キャッチパン１００は、全ての目地の交差部５５に入れる必要はなく、建築物の高さ、地域、壁面積などに応じて、交差部５５の全てに入れたり、各階毎に入れたりすることができる。
【図面の簡単な説明】
【００３６】
【図１】本発明に係るシール構造の斜視図である。
【図２】図１に示したシール構造の押出成形セメント板中央部を（ａ）、端部を（ｂ）に表した縦断面図である。
【図３】キャッチパン挟入部及び最下部におけるシール構造の縦断面図である。
【図４】キャッチパン挟入部の背面図である。
【図５】図１に示したシール構造の横断面図である。
【図６】従来の押出成形セメント板目地のシール構造を表す縦断面図である。
【図７】等圧工法を採用した従来のシール構造を表す縦断面図である。
【図８】図７に示したキャッチパンの斜視図である。
【図９】図７に示した水受け部材の斜視図である。
【符号の説明】
【００３７】
１…押出成形セメント板、１ａ、１ｂ…上下の押出成形セメント板、２…中空部、５１…横目地、５３…縦目地、５５…交差部、５７…湾曲面、６１…傾斜部、６３…押出成形セメント板の背面、６５…縦目地ガスケット、６５ａ…端面穴、６７…嵌入突起、６９…屋外側、７１…屋内側、７５…横目地ガスケット、９９…押出成形セメント板の表面、１００…キャッチパン、１０１…縦目地防雨リップ、１０１ａ…終端、１０３…横目地防雨リップ
【図１】
2005299346.tif 000003
【図２】
2005299346.tif 000004
【図３】
2005299346.tif 000005
【図４】
2005299346.tif 000006
【図５】
2005299346.tif 000007
【図６】
2005299346.tif 000008
【図７】
2005299346.tif 000009
【図８】
2005299346.tif 000010
【図９】
2005299346.tif 000011